【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
他の無線通信装置から、前記他の無線通信装置が送信することができる期間の一部を与えられ、前記他の無線通信装置との双方向通信を行う無線通信装置において、
前記他の無線通信装置から、複数のデータフレームを受信する受信手段と、
前記複数のデータフレームに対する送達確認フレームを含む第１物理フレームと、前記他の無線通信装置を宛先とする複数の送信データフレームを含む第２物理フレームを生成する生成手段と、
前記他の無線通信装置から与えられた期間中に、前記第１物理フレームを第１の伝送レートで送信し、前記第１物理フレームの送信時点から一定期間が経過した後に第２の伝送レートで前記第２物理フレームを送信する送信手段と、を具備する無線通信装置。
【請求項２】
前記送信手段が前記第１物理フレームの送信を完了してから前記第２物理フレームの送信を開始するまでの期間が、ＲＩＦＳ（Ｒｅｄｕｃｅｄ  Ｉｎｔｅｒｆｒａｍｅ  Ｓｐａｃｅ）であることを特徴とする請求項１記載の無線通信装置。
【請求項３】
前記受信手段が前記他の無線通信装置からＲＴＳフレームを受信し、前記送信手段が前記他の無線通信装置へＣＴＳフレームを送信した後に、前記他の無線通信装置との双方向通信が開始されることを特徴とする請求項１または請求項２に記載の無線通信装置。
【請求項４】
前記第１の伝送レートで送信されたフレームのエラー確率と、前記第２の伝送レートで送信されたフレームのエラー確率とが異なることを特徴とする請求項１乃至請求項３のいずれか１項に記載の無線通信装置。
【請求項５】
前記第１の伝送レートは、前記第２の伝送レートよりも低いことを特徴とする請求項１乃至請求項４のいずれか１項に記載の無線通信装置。
【請求項６】
前記第１物理フレームは、帯域を予約するための第１の帯域予約期間の値を含んでおり、
前記第１の伝送レートで送信された前記第１物理フレームは、前記第１の伝送レートをサポートする第１無線通信装置と、前記第１伝送レートおよび前記第２伝送レートとをサポートする第２無線通信装置とによって受信可能であり、
前記第２の伝送レートで送信された前記第２物理フレームは、前記第２無線通信装置によって受信可能であることを特徴とする請求項１乃至請求項５のいずれか１項に記載の無線通信装置。
【請求項７】
前記生成手段は、前記複数の送信データフレームについての送達確認フレームを要求するための送達確認要求フレームを含む第３物理フレームをさらに生成し、
前記送信手段は、前記第２物理フレームの送信時点から一定期間が経過した後に第３の伝送レートで前記第３物理フレームを送信することを特徴とする請求項１乃至請求項６のいずれか１項に記載の無線通信装置。
【請求項８】
前記第３の伝送レートは、前記第２の伝送レートよりも低いことを特徴とする請求項７に記載の無線通信装置。
【請求項９】
他の無線通信装置から、前記他の無線通信装置が送信することができる期間の一部を与えられ、前記他の無線通信装置との双方向通信を行う無線通信方法において、
前記他の無線通信装置から、複数のデータフレームを受信し、
前記複数のデータフレームに対する送達確認フレームを含む第１物理フレームと、前記他の無線通信装置を宛先とする複数の送信データフレームを含む第２物理フレームを生成し、
前記他の無線通信装置から与えられた期間中に、前記第１物理フレームを第１の伝送レートで送信し、
前記他の無線通信装置から与えられた期間中に、前記第１物理フレームの送信時点から一定期間が経過した後に第２の伝送レートで前記第２物理フレームを送信することを特徴とする無線通信方法。
【請求項１０】
前記第１物理フレームの送信を完了してから、前記第２物理フレームの送信を開始するまでの期間が、ＲＩＦＳ（Ｒｅｄｕｃｅｄ  Ｉｎｔｅｒｆｒａｍｅ  Ｓｐａｃｅ）であることを特徴とする請求項９記載の無線通信方法。
【請求項１１】
前記受信手段が前記他の無線通信装置からＲＴＳフレームを受信し、前記送信手段が前記他の無線通信装置へＣＴＳフレームを送信したあと、前記他の無線通信装置との双方向通信が開始されることを特徴とする請求項９または請求項１０に記載の無線通信方法。
【請求項１２】
前記第１の伝送レートで送信されたフレームのエラー確率と、前記第２の伝送レートで送信されたフレームのエラー確率とが異なることを特徴とする請求項９乃至請求項１１のいずれか１項に記載の無線通信方法。
【請求項１３】
前記第１の伝送レートは、前記第２の伝送レートよりも低いことを特徴とする請求項９乃至請求項１２のいずれか１項に記載の無線通信方法。
【請求項１４】
前記第１物理フレームは、帯域を予約するための第１の帯域予約期間の値を含んでおり、
前記第１の伝送レートで送信された前記第１物理フレームは、前記第１の伝送レートをサポートする第１無線通信装置と、前記第１伝送レートおよび前記第２伝送レートとをサポートする第２無線通信装置とによって受信可能であり、
前記第２の伝送レートで送信された前記第２物理フレームは、前記第２無線通信装置によって受信可能であることを特徴とする請求項９乃至請求項１３のいずれか１項に記載の無線通信方法。
【請求項１５】
前記第１物理フレームと前記第２物理フレームに加えて、前記複数の送信データフレームについての送達確認フレームを要求するための送達確認要求フレームを含む第３物理フレームをさらに生成し、
前記第２物理フレームの送信時点から一定期間が経過した後に第３の伝送レートで前記第３物理フレームを送信することを特徴とする請求項９乃至請求項１４のいずれか１項に記載の無線通信方法。
【請求項１６】
前記第３の伝送レートは、前記第２の伝送レートよりも低いことを特徴とする請求項１５に記載の無線通信方法。
【請求項１７】
送信することができる送信可能期間の一部を他の無線通信装置に与え、前記他の無線通信装置と双方向通信を行う無線通信装置において、
前記他の無線通信装置から複数のデータフレームを受信する受信手段と、
前記複数のデータフレームに対する送達確認フレームを含む第１物理フレームと、前記他の無線通信装置を宛先とする複数の送信データフレームを含む第２物理フレームを生成する生成手段と、
前記送信可能期間内に、前記第１物理フレームを第１の伝送レートで送信し、該第１物理フレームの送信時点から一定期間が経過した後に第２の伝送レートで前記第２物理フレームを送信する送信手段と、を具備する無線通信装置。
【請求項１８】
前記第１の伝送レートで送信されたフレームのエラー確率と、前記第２の伝送レートで送信されたフレームのエラー確率とが異なることを特徴とする請求項１７項に記載の無線通信装置。
【請求項１９】
前記第１の伝送レートは、前記第２の伝送レートよりも低いことを特徴とする請求項１７または請求項１８に記載の無線通信装置。
【請求項２０】
前記第１物理フレームは、帯域を予約するための第１の帯域予約期間の値を含んでおり、
前記第１の伝送レートで送信された前記第１物理フレームは、前記第１の伝送レートをサポートする第１無線通信装置と、前記第１伝送レートおよび前記第２伝送レートとをサポートする第２無線通信装置とによって受信可能であり、
前記第２の伝送レートで送信された前記第２物理フレームは、前記第２無線通信装置によって受信可能であることを特徴とする請求項１７乃至請求項１９のいずれか１項に記載の無線通信装置。
【請求項２１】
前記生成手段は、前記複数の送信データフレームについての送達確認フレームを要求するための送達確認要求フレームを含む第３物理フレームをさらに生成し、
前記送信手段は、前記第２物理フレームの送信時点から一定期間が経過した後に第３の伝送レートで前記第３物理フレームを送信することを特徴とする請求項１７乃至２０のいずれか１項に記載の無線通信装置。
【請求項２２】
前記第３の伝送レートは、前記第２の伝送レートよりも低いことを特徴とする請求項２１に記載の無線通信装置。
【請求項２３】
送信することができる送信可能期間の一部を他の無線通信装置に与え、前記他の無線通信装置と双方向通信を行う無線通信方法において、
前記他の無線通信装置から複数のデータフレームを受信し、
前記複数のデータフレームに対する送達確認フレームを含む第１物理フレームと、前記他の無線通信装置を宛先とする複数の送信データフレームを含む第２物理フレームを生成し、
前記送信可能期間内に、前記第１物理フレームを第１の伝送レートで送信し、該第１物理フレームの送信時点から一定期間が経過した後に第２の伝送レートで前記第２物理フレームを送信することを特徴とする無線通信方法。
【請求項２４】
前記第１の伝送レートで送信されたフレームのエラー確率と、前記第２の伝送レートで送信されたフレームのエラー確率とが異なることを特徴とする請求項２３項に記載の無線通信方法。
【請求項２５】
前記第１の伝送レートは、前記第２の伝送レートよりも低いことを特徴とする請求項２３または請求項２４記載の無線通信方法。
【請求項２６】
前記第１物理フレームは、帯域を予約するための第１の帯域予約期間の値を含んでおり、
前記第１の伝送レートで送信された前記第１物理フレームは、前記第１の伝送レートをサポートする第１無線通信装置と、前記第１伝送レートおよび前記第２伝送レートとをサポートする第２無線通信装置とによって受信可能であり、
前記第２の伝送レートで送信された前記第２物理フレームは、前記第２無線通信装置によって受信可能であることを特徴とする請求項２３乃至請求項２５のいずれか１項に記載の無線通信方法。